(57)【特許請求の範囲】
【請求項１】
複数のシャーシと、
左右方向に連続して延び、前記複数のシャーシを左右方向に並んだ状態で互いに連結する１つの連結部材と、
前記複数のシャーシに回動自在に設けられ、左右方向に並べられた複数の鍵と、を備え、
前記連結部材には、前記複数の鍵の回動をそれぞれ案内する複数の鍵ガイドおよび前記複数の鍵の回動範囲を規制する鍵ストッパの少なくとも一方が設けられていることを特徴とする鍵盤楽器の鍵盤装置。
【請求項２】
複数のシャーシと、
左右方向に連続して延び、前記複数のシャーシを左右方向に並んだ状態で互いに連結する１つの連結部材と、
前記複数のシャーシに回動自在に設けられ、左右方向に並べられた複数の鍵と、
前記複数のシャーシに回動自在に設けられ、前記複数の鍵に連動して回動する複数のハンマーと、
前記連結部材に設けられ、前記複数のハンマーの回動範囲を規制するハンマーストッパと、を備えることを特徴とする鍵盤楽器の鍵盤装置。
【請求項３】
左右方向に連続して延び、前記複数のシャーシを左右方向に並んだ状態で互いに連結するとともに、前記複数の鍵の回動をそれぞれ案内する複数の鍵ガイドおよび前記複数の鍵の回動範囲を規制する鍵ストッパの少なくとも一方が設けられた別の連結部材をさらに備えることを特徴とする請求項２に記載の鍵盤楽器の鍵盤装置。
【発明の詳細な説明】
【０００１】
【発明の属する技術分野】
本発明は、電子ピアノなどに用いられる鍵盤楽器の鍵盤装置に関する。
【０００２】
【従来の技術】
従来、この種の鍵盤楽器の鍵盤装置として、例えば特開昭６３−１２８３９７号公報に記載されたものが知られている。この鍵盤装置では、多数の鍵とこの鍵の回動に伴って回動する多数のハンマーとが、１個の金属製のシャーシ（フレーム）上に左右方向に並んで取り付けられている。このシャーシには、多数の溝や孔などが形成されており、各鍵および各ハンマーは、これらの溝および孔に係合した状態で、シャーシに回動自在に取り付けられている。また、シャーシには、押鍵動作のときに、鍵の回動を案内する鍵ガイドや、鍵を所定回動位置に係止する鍵ストッパが設けられ、さらに、鍵の回動に伴ってハンマーが回動する際に、ハンマーの回動範囲を規制するハンマーストッパが設けられている。また、シャーシは、１枚の金属板（例えば、鋼板）にプレス金型を用いた打ち抜き加工を施すとともに、曲げ金型を用いた曲げ加工などを施すことによって、一体に製作されている。
【０００３】
一方、金属製のシャーシに代えて合成樹脂製のシャーシを用いた鍵盤装置がある。このような合成樹脂製のシャーシは、金型を備えた射出成形機によって射出成形されている。
【０００４】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズになっている。このため、シャーシの加工時に使用される、プレス金型、曲げ金型および射出成形用の金型や、プレス機および射出成形機を含めた製造設備が大型になり、製造コストの増大を招いている。これに加えて、シャーシの試作段階において、シャーシに形成される孔および鍵ガイドの位置などが金型の製造誤差などによってずれてしまうことがあり、これらの位置を揃えるための金型調整が必要になる場合がある。この場合、上記金型が大型であることにより、溝や孔の位置ずれを調整すべき範囲が広くなることによって、金型の調整作業に手間暇がかかり、結果として製造コストをさらに増大させるという問題がある。
【０００５】
また、鍵盤装置には、通常の８８鍵に限らず、様々な鍵数のものがある。しかしながら、例えば８８鍵用のシャーシを加工するための金型を製作してしまうと、これを７６鍵用のシャーシの加工に転用できない。このため、鍵数の異なる多数種のシャーシを製作する場合に、多数種の金型を別々に製作しなければならず、製造コストがより一層、増大してしまう。
【０００６】
本発明は、上記課題を解決するためになされたもので、シャーシの製造コストの大幅な削減によって、製造コストを大幅に削減することができるとともに、組み立てる際に、鍵ガイド、鍵ストッパおよびハンマーストッパの位置調整が不要になることによって、組立を容易に行うことができる鍵盤楽器の鍵盤装置を提供することを目的とする。
【０００７】
【課題を解決するための手段】
請求項１の鍵盤楽器の鍵盤装置は、複数のシャーシと、左右方向に連続して延び、複数のシャーシを左右方向に並んだ状態で互いに連結する１つの連結部材と、複数のシャーシに回動自在に設けられ、左右方向に並べられた複数の鍵と、を備え、連結部材には、複数の鍵の回動をそれぞれ案内する複数の鍵ガイドおよび複数の鍵の回動範囲を規制する鍵ストッパの少なくとも一方が設けられていることを特徴とする。
【０００８】
この鍵盤楽器の鍵盤装置によれば、１つの鍵盤装置用のシャーシが複数に分割構成されていて、それらを別々に製造できるので、１つの鍵盤装置に対して１個のシャーシを製造する従来の場合と比べて、シャーシ１個当りのサイズを小型化できる。これによって、シャーシ製造に用いる、金型やプレス機などを含めた製造設備を小型化できるとともに、試作段階の金型調整も容易になるので、シャーシの製造コストを大幅に削減でき、したがって、鍵盤装置の製造コストを大幅に削減することができる。
【０００９】
また、複数のシャーシを連結部材によって互いに連結できるので、例えば、楽器本体に取り付ける前に、一体に組み立てたシャーシに鍵を取り付けることが可能になるなど、鍵盤装置の組立の自由度が高められる。そして、そのように、楽器本体への取付前に、楽器本体外で鍵盤装置を組み立てることによって、その組立作業およびそれらに取り付けられた鍵相互間の位置合わせ作業などを容易に行うことができ、楽器本体にシャーシや鍵などを順次、組み込んだ場合に生じやすい鍵の表面の損傷などを回避することができる。
【００１０】
これに加えて、複数の鍵ガイドおよび／または鍵ストッパが連結部材に設けられているので、従来と異なり、シャーシにおける鍵ガイドの位置を揃えるためのシャーシ用金型の調整が不要になる。また、１つの連結部材が左右方向に連続して延びているので、これに複数の鍵ガイドを予め位置決めして設けておけば、複数のシャーシを連結部材によって連結するだけで、シャーシの取付精度にかかわらず、複数のシャーシ相互間の鍵ガイド間を含めて全ての鍵ガイド間の間隔が適切に設定される。これによって、シャーシ連結後における鍵ガイド間の位置調整が不要になるので、鍵盤装置の組立がさらに容易になる。これと同様に、一定の形状および寸法の鍵ストッパを連結部材に予め位置決めして設けておけば、複数のシャーシを連結部材によって連結するだけで、押鍵動作のときに、鍵ストッパによって規制されるすべての鍵の回動範囲を揃えることができる。これによって、シャーシ連結後における鍵全体の回動ストロークを揃えるための鍵ストッパの位置調整が不要になるので、鍵盤装置の組立がさらに容易になる。
【００１１】
請求項２の鍵盤楽器の鍵盤装置は、複数のシャーシと、左右方向に延び、複数のシャーシを左右方向に並んだ状態で互いに連結する連結部材と、複数のシャーシに回動自在に設けられ、左右方向に並べられた複数の鍵と、複数のシャーシに回動自在に設けられ、複数の鍵に連動して回動する複数のハンマーと、連結部材に設けられ、複数のハンマーの回動範囲を規制するハンマーストッパと、を備えることを特徴とする。
【００１２】
この鍵盤楽器の鍵盤装置によれば、上記と同様に、鍵盤装置の製造コストを大幅に削減することができ、鍵盤装置の組立の自由度が高められるとともに、組立作業および鍵相互間の位置調整作業などを容易に行うことができる。これに加えて、ハンマーストッパが左右方向に連続して延びる１つの連結部材に設けられているので、連結部材に一定の形状および寸法のハンマーストッパを予め位置決めして設けておけば、複数のシャーシを連結部材で連結するだけで、押鍵動作のときに、ハンマーストッパによって規制されるすべてのハンマーの回動範囲を揃えることができる。これによって、シャーシ連結後におけるハンマー全体の回動ストロークを揃えるためのハンマーストッパの位置調整が不要になるので、鍵盤装置の組立がさらに容易になる。
【００１３】
上記において、左右方向に連続して延び、複数のシャーシを左右方向に並んだ状態で互いに連結するとともに、複数の鍵の回動をそれぞれ案内する複数の鍵ガイドおよび複数の鍵の回動範囲を規制する鍵ストッパの少なくとも一方が設けられた別の連結部材をさらに備えることが好ましい。
【００１４】
この鍵盤楽器の鍵盤装置によれば、前記と同様に、シャーシにおける鍵ガイドの位置を揃えるためのシャーシ用金型の調整と、シャーシ連結後における鍵ガイド間の位置調整とが不要になる。また、シャーシ連結後における鍵全体の回動ストロークを揃えるための鍵ストッパの位置調整が不要になる。これによって、鍵盤装置の組立がより一層、容易になる。
【００１５】
【発明の実施の形態】
以下、添付図面を参照しながら、本発明の第１実施形態に係る鍵盤楽器の鍵盤装置について説明する。図１および図２は、本発明を適用した電子ピアノの鍵盤装置を示している。両図に示すように、鍵盤装置１では、多数の鍵３が複数のシャーシ２に回動自在に取り付けられており、これら複数のシャーシ２は、前後の連結部材４，４０によって互いに連結された状態で、棚板５に取り付けられている。
【００１６】
複数のシャーシ２は、棚板５上に左右方向に並べられており、中央の７個（図１には２個のみ示す）のシャーシ２と、図示しない最低音部用および最高音部用のシャーシ２の、計９個のシャーシ２で構成されている。このうち、中央の７個のシャーシ２は、互いに同じ寸法および形状を備えた１種類のシャーシ２で構成されており、各シャーシ２には、１オクターブ分の鍵３、すなわち７個の白鍵３０および５個の黒鍵３１で構成された１２個の鍵３が取り付けられている。また、最低音部用および最高音部用のシャーシ２には、最低音部の３個の鍵３および最高音の１個の鍵３がそれぞれ取り付けられている。このように、鍵盤装置１は、全部で８８個の鍵３を備えている（図１には２４個のみ示す）。
【００１７】
中央の７個のシャーシ２はそれぞれ、同じ金型で製作された、例えばＡＢＳ樹脂製の射出成形品で構成され、矩形の平面形状を有している。図２に示すように、シャーシ２の下面には、棚板５へ取り付けるための４つのボス２ａが、下方に同じ長さで突出しており（２つのみ図示）、前後方向（図２の左右方向）に並んだ２つのボス２ａ，２ａを１列として、各１列のボス２ａがシャーシ２の左右端部に設けられている。各ボス２ａには、補強用の４つのリブ２ｂが前後左右に一体に形成されている（３つのみ図示）。また、シャーシ２の下面の前端部には、前連結部材４を取り付けるための２個の前連結ボス２ｃ，２ｃ（１個のみ図示）が下方に突出してそれぞれ左右端部に形成され、これと同様に、シャーシ２の下面の後端部には、後連結部材４０を取り付けるための２個の後連結ボス２ｃ，２ｃ（１個のみ図示）が下方に突出してそれぞれ左右端部に形成されている。
【００１８】
一方、最低音部用および最高音部用のシャーシ２はそれぞれ、中央の７個のシャーシ２用の射出成形機の金型に入子型を用いることによって、Ｖ字形の溝付きのシャーシ２を射出成形し、この溝付きシャーシ２を溝に沿って切断することにより、製作されている。
【００１９】
以上９個のシャーシ２は、図２に示すように、前後の連結部材４，４０によって互いに連結されている。前連結部材４は、シャーシ２の左右方向の全体に渡る長さを備えた細長い型鋼状のものであり、例えば、アルミ合金の押出成形品で構成されている。前連結部材４は、水平な取付部４ａと、その前後端から上方にそれぞれ延びる鍵ガイド部４ｃおよび鉛直部４ｂとにより、断面鉤状に形成されている。鍵ガイド部４ｃは、白鍵３０毎に予め位置決めして設けられた板片状のものであり、その上端部には、ゴム製のブッシュ４ｄが取り付けられている。この構成によって、鍵ガイド部４ｃは、白鍵３０の押鍵時に、白鍵３０が左右方向にぶれないように、その回動を案内する。以上の構成の前連結部材４は、取付部４ａの部分で、各シャーシ２の前連結ボス２ｃに、下方からねじ６で固定されている。
【００２０】
一方、後連結部材４０は、シャーシ２の左右方向の全体に渡る長さを備えた細長い山型鋼状のものであり、例えば、アルミ合金の押出成形品で構成されている。後連結部材４０は、水平な取付部４０ａと、その後端から上方に延びる鉛直部４０ｂとにより、断面逆Ｌ字状に形成されており、取付部４０ａの部分で、各シャーシ２の後連結ボス２ｃに下方からねじ６で固定されている。
【００２１】
また、白鍵３０および黒鍵３１はそれぞれ、例えばＡＢＳ樹脂製の射出成形品で構成されており、以下、白鍵３０を例にとり、その構成を説明する。白鍵３０の後端部には、下方に延びる可撓部３０ａと、この可撓部３０ａから後方に延びる取付部３０ｂと、が形成されている。可撓部３０ａは、白鍵３０が押鍵された際に、弾性変形して撓むような厚みに形成され、取付部３０ｂは、白鍵３０が常時、斜め後ろ下がりの姿勢になるように、ネジ３２を介してシャーシ２の後端部の上面に固定されている。白鍵３０の前部には、フック状のストッパ部３０ｃが形成されており、ストッパ部３０ｃは、シャーシ２の孔２ｄを通って下方に突出している。
【００２２】
一方、シャーシ２の上面および下面には、ゴム製の下限ストッパ２ｅおよび上限ストッパ２ｆが、それぞれ取り付けられている。以上の構成によって、白鍵３０は、ストッパ部３０ｃが上限ストッパ２ｆに当接する斜め後ろ下がりの離鍵位置（図２に示す位置）と、白鍵３０の下面が下限ストッパ２ｅに当接する押鍵位置（図示せず）との間で回動自在にシャーシ２に取り付けられており、常時は、離鍵位置に位置する。
【００２３】
シャーシ２の中央部には、鍵３の押鍵状態を検出するための鍵スイッチ７が設けられている。この鍵スイッチ７は、シャーシ２にねじ止めされたプリント回路基板（以下、「基板」という）７ａと、その上面に設けられたスイッチ本体７ｂとを備えている。スイッチ本体７ｂは、シャーシ２に形成した孔２ｈを介して上方に突出しているとともに、基板７ａを介して電子ピアノの発音を制御する制御装置（図示せず）に接続されている。一方、白鍵３０の中央部には、下方に突出するアクチュエータ部３０ｄが形成されており、アクチュエータ部３０ｄは、スイッチ本体７ｂの上面に常に当接している。したがって、白鍵３０が押鍵されるのに伴い、そのアクチュエータ部３０ｄがスイッチ本体７ｂを押下し、オン動作させることによって、白鍵３０の押鍵状態が検出される。この検出結果に応じて、制御装置が電子ピアノの発音を制御するようになっている。
【００２４】
白鍵３０は、以上のように構成されており、説明は省略するが、黒鍵３１は、黒鍵３１用の鍵ガイド２ｇがシャーシ２の上面に形成されている点を除いて、白鍵３０と同様に構成されている。
【００２５】
以上の構成の鍵盤装置１は、例えば、複数のシャーシ２を前後の連結部材４，４０によって連結し、その次に、鍵スイッチ７および鍵３などを組み付け、さらに鍵３相互間などの位置関係の調整を終えた後、棚板５に取り付けられる。この取付けは、各シャーシ２に形成した前記２列のボス２ａと、これらに対応して棚板５に形成された図示しない孔とを介して、ねじ止めによって行われる（図示せず）。なお、この棚板５は、アルミ合金の押出成形品などで構成されている。
【００２６】
以上のように構成された本実施形態の鍵盤装置１によれば、鍵３を取り付けるためのシャーシが、１オクターブ分用の７個のシャーシ２と、最低音部用および最高音部用の２個のシャーシ２とに分割構成されているので、シャーシ２の製造に用いる、射出成形用の金型や射出成形機を含めた製造設備を小型化できる。また、金型の小型化によって試作段階の金型調整も容易になる。これに加えて、鍵盤楽器における鍵３の配置は、通常、１オクターブ毎に同一に繰り返されるので、シャーシ２に１オクターブ分の鍵３を取り付ける構成としたことによって、７個のシャーシ２の寸法や形状などを同一にでき、シャーシ２を製造するための金型を共通化できる。さらに、中央の７個のシャーシ２を製造するための金型に入子型を用いることによって、最高音部および最低音部用のシャーシ２をそれぞれ製作でき、１つの金型で鍵盤装置１のすべてのシャーシ２を製作できる。したがって、シャーシ２の製造コストを大幅に削減でき、鍵盤装置１の製造コストを大幅に削減することができる。
【００２７】
また、鍵数の異なる鍵盤装置間で、鍵３の寸法や形状などを同一にして、シャーシ２を標準化すれば、シャーシ２を鍵盤装置１だけでなく鍵数の異なる他の鍵盤装置にも適用することができ、鍵盤装置の製造コストをより大幅に削減することができる。さらに、７個のシャーシ２と、最低音部用および最高音部用の２個のシャーシ２とが連結部材４，４０で互いに一体に連結されるので、前述したように、シャーシ２を棚板５などに取り付ける前に、連結部材４，４０で一体に連結したシャーシ２に鍵３を取り付けることが可能になるなど、鍵盤装置１の組立の自由度が高められる。そして、そのように、棚板５への取付け前に、例えば、楽器本体外で鍵盤装置１を組み立てることによって、その組立作業、および各シャーシ２相互間やそれらに取り付けられた鍵３相互間の位置関係の調整作業を容易に行うことができ、楽器本体にシャーシ２や鍵３などを順次、組み込んだ場合に生じやすい鍵３の表面の損傷などを回避できる。
【００２８】
これに加えて、前連結部材４には、白鍵３０用の鍵ガイド部４ｃが、白鍵３０毎に予め位置決めして形成されているので、従来と異なり、シャーシ２における白鍵３０用の鍵ガイドの位置を揃えるための金型調整が不要になる。また、複数のシャーシ２を前連結部材４で連結するだけで、シャーシ２の取付精度にかかわらず、複数のシャーシ２相互間の鍵ガイド部４ｃ間を含むすべての鍵ガイド部４ｃ間が適切な間隔に設定される。これによって、シャーシ２の連結後に白鍵３０用の鍵ガイド部４ｃ間の位置調整（間隔調整）を行う必要がなくなるので、鍵盤装置１の組立がさらに容易になる。
【００２９】
次に、本発明の第２実施形態に係る鍵盤楽器の鍵盤装置について説明する。図３に示すように、本実施形態の鍵盤装置１は、第１実施形態の鍵盤装置１とほぼ同様の構成を備えており、以下、異なる点についてのみ説明する。特に、図示はしないが、シャーシ２は、７個のシャーシ２と、最低音部用および最高音部用のシャーシ２の、計９個のシャーシで分割構成されており、これらのシャーシ２は、左右方向に延びる前後の連結部材４１，４２によって互いに連結されている。
【００３０】
前連結部材４１は、水平な取付部４１ａと、その前端から上方に延びる鉛直部４１ｂと、鉛直部４１ｂの上端から前方に延びる水平部４１ｃと、水平部４１ｃの前端から上方に延びる鍵ガイド部４１ｄとによって、断面階段状に形成されている。取付部４１ａは、シャーシ２の下面の前端部に形成された前連結ボス２ｃにねじ止めされている。鍵ガイド部４１ｄは、上記第１実施形態と同様に、鍵３毎に予め位置決めして配置され、その上端部には、ゴム製のブッシュ４１ｅが取り付けられている。また、水平部４１ｃの上下面にはそれぞれ、鍵ストッパとしてのゴム製の下限ストッパ４１ｆおよび上限ストッパ４１ｇが予め位置決めして取り付けられている。これらのストッパ４１ｆ，４１ｇは、断面矩形でかつ一定の形状および寸法で前連結部材４１の延びる方向に平行に延びている。
【００３１】
また、白鍵３０は、シャーシ２の後端部に設けられた回動支点９に回動自在に支持されており、その上面後端部の係合突起３０ｅが、復帰ばね８を介して後連結部材４２に連結されている。これによって、白鍵３０は常時、離鍵方向に付勢されている。説明は省略するが、黒鍵３１も、白鍵３０と同様に構成されている。
【００３２】
以上のように構成された本実施形態の鍵盤装置１によれば、第１実施形態の鍵盤装置１と同様に、分割構成したシャーシ２が、前後の連結部材４１，４２によって一体に連結される。これによって、その製造コストを大幅に削減することができるとともに、組立が容易になる。また、前連結部材４１には、鍵３（白鍵３０および黒鍵３１）用の鍵ガイド部４１ｄが、鍵３毎に予め位置決めして形成されているので、従来と異なり、シャーシ２における鍵３用の鍵ガイドの位置を揃えるための金型調整が不要になる。さらに、複数のシャーシ２を前連結部材４１で連結するだけで、すべての鍵ガイド部４１ｄ間が適切な間隔に設定される。これによって、シャーシ連結後における鍵ガイド部４１ｄ間の位置調整を行う必要がなくなる。
【００３３】
また、前連結部材４１には、一定の形状および寸法を有する上下限ストッパ４１ｇ，４１ｆが、前連結部材４１に予め位置決めして取り付けられているので、複数のシャーシ２を前連結部材４１で連結するだけで、押鍵動作のときに、上下限ストッパ４１ｇ，４１ｆによって規制されるすべての鍵３の回動範囲を揃えることができる。これによって、シャーシ連結後における鍵３全体の回動ストロークを揃えるための上下限ストッパ４１ｇ，４１ｆの位置調整が不要になるので、鍵盤装置１の組立がさらに容易になる。
【００３４】
次に、本発明の第３実施形態に係る鍵盤楽器の鍵盤装置について説明する。図４および図５に示すように、本実施形態の鍵盤装置１は、鍵３用の鍵ガイド２ｇがシャーシ２に設けられている点と、ハンマー１０および３つの連結部材４３，４４，４５を備えている点とを除いて、上記第１および第２実施形態の鍵盤装置１とほぼ同様の構成を備えており、以下、異なる点についてのみ説明する。特に、図示はしないが、シャーシ２は、７個のシャーシ２と、最低音部用および最高音部用のシャーシ２の、計９個のシャーシ２で分割構成されており、これらのシャーシ２は、左右方向に延びる前・中央・後３つの連結部材４３〜４５によって互いに連結されている。これらの連結部材４３〜４５はそれぞれ、シャーシ２の左右方向の全体に渡る長さを備えた細長い型鋼状のものであり、例えば、アルミ合金の押出成形品で構成されている。前連結部材４３は、断面ほぼコの字状に形成されており、上下の取付部４３ａ，４３ｂを備えている。上取付部４３ａは、シャーシ２の下面の前端部のボス２ｃ，２ｃ（１つのみ図示）にねじ止めされ、これと同様に、下取付部４３ｂは、棚板５にねじ止めされている。
【００３５】
中央の連結部材４４は、上下方向に延びる鉛直部４４ｃと、その上下端から前後方向に水平にそれぞれ延びる上下の取付部４４ａ，４４ｂとを備えている。上取付部４４ａは基板７ａに、下取付部４４ｂは棚板５に、それぞれねじ止めされている。
【００３６】
また、後連結部材４５は、前連結部材４３と同様に、断面ほぼコの字状に形成されており、上下の取付部４５ａ，４５ｂを備えている。上取付部４５ａは、シャーシ２の後端部のボス２ｉ，２ｉ（１つのみ図示）にねじ止めされ、その下面の前端部に上限ストッパ４５ｃを備えている。さらに、下取付部４５ｂは、棚板５にねじ止めされ、その上面の前端部に下限ストッパ４５ｄを備えている。これら上下限ストッパ４５ｃ，４５ｄはそれぞれ、ハンマー１０の回動範囲を上下限位置の間に規制するためのハンマーストッパであり、断面矩形でかつ一定の形状および寸法で左右方向に延びるとともに、各ハンマー１０に対し予め位置決めして後連結部材４５に取り付けられている。
【００３７】
一方、ハンマー１０は、その中央部よりも前側の部分で、シャーシ２の回動支点１１に回動自在に支持されており、その前端部の鍵当接部１０ａが鍵３の頂壁の裏面に当接している。また、ハンマー１０は、回動支点１１よりも後ろ側の部分がシャーシ２の開口２ｊを通って、シャーシ２の下側に延びるとともに、その後端部に突起１０ｃが形成されている。図５および図６に示すように、ハンマー１０は、その突起１０ｃが上記後連結部材４５の上下限ストッパ４５ｃ，４５ｄに当接することによって、その回動範囲を上述した上下限位置の間に規制される。
【００３８】
さらに、ハンマー１０の鍵当接部１０ａの下側には、アクチュエータ部１０ｂが形成されていて、このアクチュエータ部１０ｂは、鍵スイッチ７のスイッチ本体７ｂの上面に常時、当接している。以上の構成により、鍵３が押鍵されると、ハンマー１０は、その鍵当接部１０ａが鍵３で押されることによって、同図の反時計回りに回動し、この回動の際、アクチュエータ部１０ｂが鍵スイッチ７のスイッチ本体７ｂを押下することによって、鍵３の押鍵情報が検出される。
【００３９】
以上のように構成された本実施形態の鍵盤装置１によれば、前述した第１および第２実施形態の鍵盤装置１と同様に、分割構成したシャーシ２が、３つの連結部材４３〜４５によって一体に連結される。これによって、その製造コストを大幅に削減できるとともに、組立が容易になる。これに加えて、後連結部材４５には、ハンマー１０用の上下限ストッパ４５ｃ，４５ｄがそれぞれ、一定の形状および寸法で左右方向に延びるとともに、各ハンマー１０に対し予め位置決めして取り付けられているので、複数のシャーシ２を後連結部材４５で連結するだけで、上下限ストッパ４５ｃ，４５ｄによって規制されるすべてのハンマー１０の回動範囲を揃えることができる。これによって、シャーシ連結後におけるハンマー１０全体の回動ストロークを揃えるための上下限ストッパ４５ｃ，４５ｄの位置調整を行う必要がなくなるので、鍵盤装置１の組立がさらに容易になる。
【００４０】
なお、本実施形態においては、後連結部材４５にハンマー１０用の上下限ストッパ４５ｃ，４５ｄを設けたが、前記第１および第２実施形態と同様に、前連結部材４３または中央の連結部材４４に鍵ガイドや鍵３用の上下限ストッパを設けてもよいし、１つの連結部材に、ハンマー１０用の上下限ストッパ、鍵３用の上下限ストッパおよび鍵ガイドを設けるようにしてもよい。
【００４１】
なお、上記各実施形態においては、本発明の鍵盤装置１を電子ピアノに適用したものについて説明したが、本発明の鍵盤装置１はこれに限らず、他の電子楽器（例えばシンセサイザなど）や、アコースティックタイプの鍵盤楽器に適用してもよい。また、シャーシ２をＡＢＳ樹脂製としたが、シャーシ２の材質はこれに限らず、他の合成樹脂（例えばポリスチレンやポリアセタールなど）およびセラミックなどでもよい。さらに、鍵３の上下限ストッパ４１ｆ，４１ｇおよびハンマー１０の上下限ストッパ４５ｃ，４５ｄをゴム製としたが、これに限らず、各ストッパの材質は、合成樹脂など弾性を有し、衝撃を吸収できるものであればよい。また、鋼板にプレス金型を用いた打ち抜き加工を施したり、曲げ金型を用いた曲げ加工などを施したりすることによって、シャーシ２を製造してもよい。このようにすれば、シャーシ２の製造に用いる、金型やプレス機などを含めた製造設備を小型化でき、前述したように、鍵盤装置の製造コストを大幅に削減できる。
【００４２】
さらに、上記各実施形態においては、鍵３をＡＢＳ樹脂製としたが、鍵３の材質はこれに限らず、鋼などの金属、他の合成樹脂（例えばポリスチレンやポリアセタールなど）および木質材などでもよい。また、連結部材４をアルミ合金で構成したが、これに限らず、鋼などの他の金属で構成してもよい。さらに、最低音部用および最高音部用のシャーシを製作するために、シャーシ２用の射出成形機の金型に入子型を用いることによって、Ｖ字形の溝付きのシャーシを射出成形するようにしたが、シャーシ２用の射出成形機の金型の形状を変更することによって、シャーシ２自体をＶ字形の溝付きのシャーシとして射出成形し、鍵盤装置１に用いるようにしてもよい。
【００４３】
【発明の効果】
以上のように、本発明の鍵盤楽器の鍵盤装置によれば、シャーシの製造コストの大幅な削減によって、製造コストを大幅に削減することができるとともに、組み立てる際に、鍵ガイド、鍵ストッパおよびハンマーストッパの位置調整が不要になることによって、組立が容易になる。
【図面の簡単な説明】
【図１】本発明の第１実施形態に係る電子ピアノの鍵盤装置の一部を示す平面図である。
【図２】図１の鍵盤装置の離鍵状態を示す側断面図である。
【図３】本発明の第２実施形態に係る鍵盤装置の離鍵状態を示す側断面図である。
【図４】本発明の第３実施形態に係る鍵盤装置の離鍵状態を示す側断面図である。
【図５】図４の鍵盤装置の押鍵状態を示す側断面図である。
【符号の説明】
１        鍵盤装置
２        シャーシ
３        鍵
４        連結部材
４ｃ      鍵ガイド部（鍵ガイド）
１０        ハンマー
４１        連結部材
４１ｄ            鍵ガイド部（鍵ガイド）
４１ｆ            下限ストッパ（鍵ストッパ）
４１ｇ          上限ストッパ（鍵ストッパ）
４５                連結部材
４５ｃ      上限ストッパ（ハンマーストッパ）
４５ｄ      下限ストッパ（ハンマーストッパ）
【図１】
0003626345.tif 000002
【図２】
0003626345.tif 000003
【図３】
0003626345.tif 000004
【図４】
0003626345.tif 000005
【図５】
0003626345.tif 000006